(57)【特許請求の範囲】
【請求項１】
ロウソクに火を点けて墓前に供えるための石材製の燈明台であって、
中空の直方体で前側壁に開口部が形成された筺体と、該筺体の開口部に、左右のいずれか一方側の上下が軸支され開閉可能に設けられた開口窓を有する開閉扉と、前記筺体の底部に水平回動可能に設置され、開閉扉の開いた状態で水平回動することにより開口部より出入する扇形形状の水平片で構成するロウソク立て設置台と、
を備えることを特徴とする墓石用燈明台。
【請求項２】
ロウソクに火を点けて墓前に供えるための石材製の燈明台であって、
中空の直方体で前側壁に開口窓が形成され、左右側壁のいずれか一方の側壁に開口部が形成された筺体と、該筺体の開口部に合致して開閉可能に閉塞できる形状の垂直片と、該垂直片の下端より水平方向に延出する半円状の水平片で形成するロウソク立て設置台とで形成され、この水平片が回転可能に軸支され開口部を開閉する回転扉と、を備え、水平片は垂直片の横幅の中央位置で軸支され、回転扉を正逆いずれに回転させても水平片および垂直片が開口部周縁に当たることなく回転して開閉可能な構成であることを特徴とする墓石用燈明台。
【請求項３】
ロウソクに火を点けて墓前に供えるための石材製の燈明台であって、
中空の直方体で、前側壁に開口部が形成された筺体と、該筺体の開口部に合致して開閉可能に閉塞できる形状で、のぞき窓を兼用する複数の通気孔を有する垂直片と、該垂直片の下端より水平方向に延出する半円状の水平片で形成するロウソク立て設置台とで形成され、この水平片が回転可能に軸支され開口部を開閉する回転扉と、を備え、
水平片は垂直片の横幅の中央位置で軸支され、回転扉を正逆いずれに回転させても水平片および垂直片が開口部周縁に当たることなく回転して開閉可能な構成であることを特徴とする墓石用燈明台。
【発明の詳細な説明】
【技術分野】
【０００１】
本発明は、墓石の前部に設置されて、ロウソクに火を点けて墓前に供えるための墓石用燈明台に関する。
【背景技術】
【０００２】
周知のように、墓所に建立される墓石の前部には、花を供える花立てとともに燈明を供える燈明台が設置される。この燈明台の形態は、地方ごとの慣習によって異なるものの、一般には墓石の前部中央の、供物台の両隣に設置される。
また、この一般的な燈明台は、燈明の設置部に扉などの防風、防雨手段を持たず、常時外部に晒される構造である。
【０００３】
ところが、このように防風、防雨手段を持たない燈明台にあっては、比較的弱い風が吹いている時にも、内部に備えた燈明（ロウソク）の火が吹き消されてしまうという不都合があった。また、雨が降った場合には、内部が雨により水浸しになり、内部に積もった土埃が汚泥化するという不都合があった。
従って、このような風雨の条件下での法事では、ロウソクが吹き消されたまま、線香に火を点じるのみにて、読経を行っている場合が多い。
【０００４】
一方、前記のような風による燈明の吹き消しを防止するために、線香立ておよびロウソク立てを持つ基台と本体とからなり、本体を、三方の周側板と、この周側板の前面の一部を透明板として、蝶番で繋いだ前面扉と、背面側周側板の上縁に蝶番で繋いだ上蓋と、から構成した金属板製の燈明台が提案されている（例えば、特許文献１参照）。
【特許文献１】実公平４‐３０２９２号公報
【発明の開示】
【発明が解決しようとする課題】
【０００５】
しかしながら、前記金属板製の燈明台にあっては、前面扉を開いて内部に供えたロウソクの火が、前面扉を閉じることによって外風に晒されないため、消えることはないものの、金属板自体が赤熱まではいかないにしても、ロウソクの燃焼熱により相当の高温に熱せられ、これに身体の一部が触れると火傷を負うという問題があった。また、燈明台の中は狭く、内部のロウソク立てに立てたロウソクに点火する作業が極めて面倒であった。更に、この金属板製の燈明台は、仏具に相応しい重量感や荘重感が得られず、仏具として外観上墓石に馴染まないという問題があった。
【０００６】
本発明は、このような従来の問題点に着目してなされたものであり、風雨の影響を小さく抑えて、燈明であるロウソクの点灯状態を安定的に維持できるとともに、ロウソク立てに立てた状態のロウソクに簡単に点火することができ、さらに仏具としての重量感と荘重感が得られる墓石用燈明台を得ることを目的とする。
【課題を解決するための手段】
【０００７】
前記目的達成のために、本発明にかかる墓石用燈明台は、ロウソクに火を点けて墓前に供えるための石材製の燈明台であって、中空の直方体で前側壁に開口部が形成された筺体と、該筺体の開口部に、左右のいずれか一方側の上下が軸支され開閉可能に設けられた開口窓を有する開閉扉と、前記筺体の底部に水平回動可能に設置され、開閉扉の開いた状態で水平回動することにより開口部より出入する扇形形状の水平片で構成するロウソク立て設置台と、
を備えることを特徴とする。
【０００８】
この構成により、ロウソクは開閉扉を開き、ロウソク立て設置台を回動して開口部に外出させて装着し、点火することができるため、ロウソクに容易に点火を行える。ロウソクに点火し、ロウソク立て設置台を筺体内に収納したときは、ロウソク立て設置台およびロウソクは、開口窓を除く周辺部が石材で被われるため、風雨の影響を受けにくく、ロウソクの灯火によってこれが過熱することがなく、身体が触れても火傷を負うことはない。さらに石材で構成するので外観上、重量感および荘重感に優れ、墓石に並置される仏具として最適となる。
【０００９】
また、本発明にかかる墓石用燈明台は、ロウソクに火を点けて墓前に供えるための石材製の燈明台であって、
中空の直方体で前側壁に開口窓が形成され、左右側壁のいずれか一方の側壁に開口部が形成された筺体と、該筺体の開口部に合致して開閉可能に閉塞できる形状の垂直片と、該垂直片の下端より水平方向に延出する半円状の水平片で形成するロウソク立て設置台とで形成され、この水平片が回転可能に軸支され開口部を開閉する回転扉と、を備え、水平片は垂直片の横幅の中央位置で軸支され、回転扉を正逆いずれに回転させても水平片および垂直片が開口部周縁に当たることなく回転して開閉可能な構成であることを特徴とする。
【００１０】
この構成により、前記作用、効果に加え、回転扉は、垂直片の左右のいずれかの位置を押すことで回転し開口部を開口し、この回転扉が開くと、水平片で形成するロウソク立て設置台も外出し、これにロウソクを立てて容易に点火することをができ、ロウソクに点火したら回転扉を回転させ、ロウソク立て設置台を筺体内に移動させることで、点火したロウソクを筺体内に容易に収納できる。従って、ロウソク立て設置台の外出およびロウソクの設置、点火および筺体内への収納を容易に行うことができる。
【００１１】
また、本発明のかかる墓石用燈明台は、ロウソクに火を点けて墓前に供えるための石材製の燈明台であって、
中空の直方体で、前側壁に開口部が形成された筺体と、該筺体の開口部に合致して開閉可能に閉塞できる形状で、のぞき窓を兼用する複数の通気孔を有する垂直片と、該垂直片の下端より水平方向に延出する半円状の水平片で形成するロウソク立て設置台とで形成され、この水平片が回転可能に軸支され開口部を開閉する回転扉と、を備え、
水平片は垂直片の横幅の中央位置で軸支され、回転扉を正逆いずれに回転させても水平片および垂直片が開口部周縁に当たることなく回転して開閉可能な構成であることを特徴とする。
【００１２】
前記墓石用燈明台は、回転扉が左右側壁のいずれかに設けられた構成であるが、この墓石用燈明台の回転扉は、前側壁に設けられたもので、前記墓石用燈明台と同様の作用、効果を奏する。特に、筺体に対するロウソク立て設置台の出し入れは、回転扉の左右のいずれかを押すという簡単な操作によって行うことができ、筺体の外で点火したロウソクを回転扉の回転で筺体内へ速やかに収納することができる。また、回転扉を構成する垂直片にはのぞき窓を兼用する複数の通気孔が設けられているので、常時外気が通気することにより、ロウソクの火が酸素不足で消えるという心配はない。
【発明の効果】
【００１３】
本発明によれば、次のような効果を奏する。
（１）燈明台の筺体のいずれかの側壁には、開閉扉または回転扉を開閉可能に設け、ロウソク立て設置台を出し入れ可能にしたことにより、扉を開きロウソク立て設置台を外出させロウソクを立て点火した後、筺体内に収納することができる。
（２）ロウソク立て設置台を筺体内に収納したときは、ロウソクは石材の筺体で保護されるため、風雨の影響を受けにくく、ロウソクの灯火が容易には消えない。
（３）石材からなるため、ロウソクの灯火によってこれが加熱することがなく、身体が触れても火傷を負うことはない。
（４）燈明台は石材で形成されているため、重量感および荘重感に優れ、墓石に並置される仏具として最適となる。
（５）回転扉は、垂直片の左右のいずれかの位置を押すことで回転し開口部を開口し、この回転扉が開くと、水平片で形成するロウソク立て設置台も外出し、これにロウソクを立てて容易に点火することができ、ロウソクに点火したら回転扉を回転させ、ロウソク立て設置台を筺体内に移動させることで、点火したロウソクを筺体内に容易に収納できる。従って、ロウソク立て設置台の外出およびロウソクの設置、点火並びに筺体内への収納を容易に行うことができる。
【発明を実施するための最良の形態】
【００１４】
以下に、本発明の一実施形態を、図面を参照しながら説明する。
図１は、本発明の墓石用燈明台１１を示す斜視図であり、ここでは墓石１２の前部に、左右対称に一基づつ配置されている。詳しくは、墓石１２を載置する基台１３上に、線香立てを収納したり、供物を上面に載置したりする供物台１４が設置されており、この供物台１４の左右に前記燈明台１１が一基づつ設置されている。
【００１５】
この墓石用燈明台１１は、墓石１２と同質の石材により加工されており、図２に示すように、内部が刳りぬき加工された直方形の筐体１５と、この筐体１５内に出し入れされるＬ字型のロウソク立て設置台１６とから構成される。
【００１６】
筐体１５は、４周壁（４側壁）のうち前側壁１５ａに、格子状模様を形成する複数の通気孔１７が設けられている。これらの通気孔１７は、図示のような菱形形に限らず、丸型、三角型など筐体１５内に風雨が吹き込み難い形状、サイズとすることが望ましい。また、この筐体１５は下方に向かって、つまり前記基台１３に向かって開放されている。
【００１７】
さらに、この筐体１５の４周壁に一つ、ここでは右側壁１５ｂに、筐体１５の内外に貫通する大形の開口部１８が形成されている。ここでは、この開口部１８は略縦長形状をなす。
【００１８】
また、ロウソク立て設置台１６も石材によりＬ字状に加工されて、ロウソク立て設置のための水平片部１６ａと、この水平片部１６ａ端に直立する垂直片部１６ｂとを有する。水平片部１６ａおよび垂直片部１６ｂは同幅であり、前記開口部１８の開口幅より僅か小さい。このため、水平片部１６ａおよび閉塞部としての前記垂直片部１６ｂは開口部１８を介して筐体１５内に出入自在となる。
【００１９】
前記水平片部１６ａ上にはロウソク立て１９の基部を嵌合可能にする嵌合孔２０が形成されている。これにより、ロウソク立て１９は水平片部１６ａ上に安定支持される。符号２１は、ロウソク立て１９に立てられたロウソクである。
前記垂直片部１６ｂは、前記開口部１８の形状、サイズに倣った所定形状をなし、摘みとして、または筐体１５内の換気を促進するため、孔４０が穿設されている。
【００２０】
このような構成の墓石用燈明台１１は、前述の通り墓石１２の基台１３上であって、供物台１４の左右に設置される。したがって、墓参時に燈明を上げる場合には、図１に示すように、筐体１５の開口部１８に垂直片部１６ｂが嵌まり込んだ状態のロウソク立て設置台１６の孔４０を手で掴んで、図２に示すように矢印Ａ方向に真直ぐに引き出す。
【００２１】
このため、ロウソク立て設置台１６は、水平片部１６ａの下面が基台１３上面をスライドしながら外へ引き出され、図２に示す状態となる。この引き出しを十分に行った後、ロウソク立て１９にロウソク２１を立てて、点火する。
【００２２】
こうして、ロウソク２１に点火を行った後は、ロウソク立て設置台１６を再び基台１３上に矢印方向Ｂに向かって滑らせながら、図１に示すように、開口部１８に垂直片部１６ｂが嵌まり込むまで筐体１５内へ収納する。なお、ロウソク２１の交換は、かかる動作を繰り返すことにより、行える。
【００２３】
このようにして、燈明を墓前に供えた場合において、天気が悪く、雨が降ったり、風が吹いたりしても、ロウソク２１は上面および４周壁に囲まれ、前方の通気孔１７から雨や風が僅か侵入するのみであるため、ロウソクの火が消えることはない。
また、通気孔１７から筐体１１内のロウソク２１の点灯状態を看取できるため、墓前には荘重な雰囲気が醸しだされる。また、この燈明台が石材からなるため重量感、荘重感が得られる。
【００２４】
図３は、本発明の他の実施形態による墓石用燈明台１１Ａを、一部破断して示した斜視図である。この墓石用燈明台１１Ａは、筐体１５Ａの前側壁１５ａをＬ字型のロウソク立て設置台１６Ａの一部として用いたものである。すなわち、筐体１５Ａの前側壁にはこれの内外に貫通する大型の開口部２２が設けられている。また、ロウソク立て設置台１６Ａが、前記開口部２２に嵌まり込み可能な閉塞部としての垂直片部１６ｃと、ロウソク立て１９を設置する水平片部１６ａとをＬ字状に連設したものからなる。
【００２５】
このような構成の墓石用燈明台１１Ａでは、前側壁の一部である垂直片部１６ｃがロウソク立て設置台１６Ａを構成しており、この垂直片部１６ｃを筐体１５Ａに対し、基台１３上を前後方向にスライドさせることにより、前記同様にロウソク２１の点火や交換を、筐体１５Ａの外で行った後、これらを筐体１５Ａ内に収納することができる。
また、垂直片部１６ｃが開口部２２を閉じた状態では、前記同様に、風の吹き込みや雨の浸入を抑えて、ロウソク２１の火が消えるのを防止できる。また、この燈明台１１Ａは石材からなるために、外観上、重量感、荘重感が得られる。
【００２６】
図４は、本発明のさらに他の実施形態による石材製の墓石用燈明台１１Ｂを示す斜視図、図５は、開閉蓋の開放時における前記燈明台１１Ｂの斜視図、図６は、その燈明台１１Ｂの分解斜視図である。
【００２７】
この墓石用燈明台１１Ｂは、前側壁に開口窓２３を、右側壁に開閉口２４をそれぞれ有する、略コ字状の枠体２５と、この枠体２５を載置する台座２６と、枠体２５の上端部に載置される天蓋部２７と、から構成されている。これらは、接着剤により相互に接着されていて、図４に示すように構成されている。
【００２８】
枠体２５の左側壁の上部には通気孔２５ａが形成されている。前記開閉口２４の一部には指先を掛けて後述の開閉扉２８の開放操作を容易にする切欠２５ｂが設けられている。
【００２９】
開閉口２４には、開閉扉２８が開閉自在に設けられている。この開閉扉２８は、下端部に枠体２５の内方に向かって水平に突出する水平片２８ａを一体に有し、この水平片２８ａ上にロウソク２１を立てるためのロウソク立て用穴２９が形成されている。
【００３０】
水平片２８ａの下面には、フランジ３０付きの軸部材３１を挿入可能にする軸挿入孔３２が設けられている。この軸挿入孔３２に対応する位置の台座２６上には、軸受け取付孔３３が設けられている。この軸受け取付孔３３内には、軸受け３４を収納したフランジ付きハウジング３５が装着されている。
【００３１】
従って、その軸受け３４に軸部材３１の下部を支持させ、さらにその軸部材３１の上部を水平片２８ａの軸挿入孔３２に挿入して、フランジ３０上に水平片２８ａを支持させることで、開閉扉２８は、図５に示すように、台座２６上で矢印Ｃ方向に水平回動（開閉）可能となる。
【００３２】
図７（ａ）、（ｂ）は開閉扉２８の開閉動作の前後に亘る状態を示す燈明台１１Ｂの平断面図である。図７（ａ）は、開閉扉２８が閉じた状態を示し、図７（ｂ）は開閉扉２８が軸部材３１を中心に水平回動して開いた状態を示す。開閉蓋２８が開いた状態では、ロウソク立て用穴２９が枠体２５の外に露出するため、このロウソク立て用穴２９にロウソク２１を立てて、容易に点火することができる。
【００３３】
この点火に続いて、開閉扉２８を閉じる方向に回動操作し、開閉口２４に嵌まり込ませることにより、ロウソク２１は枠体２５内で点灯を続ける。このロウソク２１の灯火は、開口窓２３を通して外から看取することができる。
また、この場合には、ロウソク２１は開口窓２３部分を除き上面および周辺の四方が壁面で囲まれているため、風雨が燈明台内に少しは入り込むようなことがあっても、ロウソク２１の灯火が消えることはない。
【００３４】
図８は、本発明のまた更に他の実施形態による墓石用燈明台１１Ｃを示す斜視図である。この実施形態では、前側壁１５ａに開閉口３６を形成し、この開閉口３６に、開閉扉３８を開閉自在に取り付けたものからなる。この開閉扉３８は左方の上下端面に軸部材３７を有し、これらの軸部材３７を開閉口３６の上下面に形成された軸取付孔内に支持させてある。これにより、開閉扉３８を軸部材３７を中心に矢印Ｄ方向に開閉可能になっている。
【００３５】
一方、台座２６上には、扇形板状の水平片２８ａが設置され、この水平片２８ａはその基部が図６に示したものと同様の軸部材３１と軸受機構（図示しない）を用いて水平回動自在に支持されている。また、この水平片２８ａ上には、ロウソク２１を供えるロウソク立て１９が取り付けられている。なお、側壁１５ｂは塞がれている。
【００３６】
このような構成の墓石用燈明台１１Ｃでは、開口窓２３を有する開閉扉３８を開き、続いて水平片２８ａを、軸部材３１を中心に水平回動させて、開閉口３６の外へ引き出すことにより、ロウソク２１のロウソク立て１９への挿し込み操作および枠体２５内への収納を簡単かつ速やかに実施できる。
【００３７】
この場合にも、ロウソク２１の灯火は略４側が壁面で囲まれているため、通常の風雨の侵入によっては灯火が消えることはない。また、全体が石材を中心に組み付けられているため、墓石に添える燈明台として十分の重量感、荘重感が得られる。
【００３８】
図９は、本発明のさらに他の実施の形態に係る石材製の墓石用燈明台を示す斜視図、図１０は、図９の中央横断面図、図１１は、図１０のＡ−Ａ線断面図である。
【００３９】
この実施の形態に係る墓石用燈明台１１Ｄは、底面が開口する中空の直方体の本体１５Ｄが台座２６に載置されて構成されている。この本体１５Ｄの前側壁１５ａには本体内部が見える開口窓２３が形成され、右側壁１５ｂには開口部１８が形成されている。この開口部１８は、上方の途中より下端まで切欠きされた長方形の開口に形成されている。この開口部１８には、回転扉３９が回転可能に設けられて、開口部１８が開閉可能となっている。
即ち、回転扉３９は、開口部１８より稍々小さいが、開口部１８の形状に対応し、開口部１８内に合致して閉塞できる形状の垂直片３９ｂと、この垂直片３９ｂの下端より水平方向に延出する半円状の水平片３９ａとで形成され、この水平片３９ａが軸部材３７で台座２６に回転可能に枢支されて構成されている。この枢支部位(軸部材３７の部位)は、垂直片３９ｂの横幅の中央に位置しており、軸部材３７を中心に回転扉３９を回転させた時、水平片３９ａおよび垂直片３９ｂが開口部１８周縁に当たることなく回転しての開閉が可能な構成となっている。そして、前記回転扉３９の水平片３９ａは、ロウソク２１を立てる手段４１が設けられてロウソク立て載置台を構成する。
【００４０】
しかして、この墓石用燈明台１１Ｄによれば、不使用時は開口部１８は回転扉３９で閉塞されているが、使用時には回転させることによって水平片（ロウソク立て設置台）３９ａを外出させることができる。従って、外出した水平片３９ａのロウソク２１を立てる手段４１にロウソクを立てて点火し、回転扉３９を閉じることによって容易に使用できるようになる。しかも回転扉３９の開閉は、垂直片３９ｂの左右のいずれを押すだけで可能となるので、操作も簡単である。この場合にも、ロウソク２１の灯火は上面および略４側が壁面で囲まれているため、通常の風雨の侵入によっては灯火が消えることはない。また、全体が石材を中心に組み付けられているため、墓石に供える燈明台として十分の重量感、荘重感が得られる。
なお、本体１５Ｄ内に納められたロウソク２１は、開口窓２３より臨むことができる。この開口窓２３は、ロウソク２１の燈明を臨んだり、そこから外部を照らすものであるので、その形状に制限はない。また、開口窓２３を設ける位置も限定されるものではない。
【００４１】
図１２は、本発明のまた更に他の実施の形態に係る石材製の墓石用燈明台を示す斜視図である。
本例の墓石用燈明台１１Ｅは、本体１５Ｅの前側壁１５ａには開口部１８が設けられ、この開口部１８に回転扉３９が設けられたものであって、他は前記図９乃至図１１に示す実施の形態と同様であるので、同一構成要素には同一符号を付して、他の詳細な説明は省略する。なお、本例では回転扉３９を構成する垂直片３９ｂに、のぞき窓を兼用する通気孔１７が複数設けられており、本体１５Ｅ内に納められたロウソク２１の燈明は、この部分から臨むことができるし、燈明もここから外部を照らすことができる。
この実施の形態においても、前記実施の形態と同様の作用、効果を奏する。
【００４２】
なお、図９乃至図１２に示す実施の形態では、本体１５Ｄ、１５Ｅが底面が開口しており、台座２６に回転扉３９を回転可能に枢支させたが、これは本体１５Ｄ、１５Ｅの底面を底板で閉塞し、この底板に回転扉３９を回転可能に枢支してもよい。
【００４３】
このように、本実施形態の墓石用燈明台は、筐体または本体に外部から内部を看取可能にするための窓や透孔を設け、前記筐体または本体内に、該筐体または本体の側壁の一部を構成するロウソク立てを出し入れ可能にしたことにより、ロウソク立て設置台を筐体内または本体内に収納したときは、ロウソク立ておよびロウソクは、前記窓や透孔を除く周辺部が石材で被われているため、風雨の影響を受け難く、ロウソクの灯火が容易には消えない。また、ロウソクを収納する所定サイズの石材からなるため、ロウソクの灯火によってこれが過熱することがなく、身体が触れても火傷を負うことはない。さらに、重量感および荘重感が優れ、墓石に並置される仏具として外観上最適となる。
【産業上の利用可能性】
【００４４】
以上のように、本発明にかかる墓石用燈明台は、燈明であるロウソクの点灯状態を風雨に影響されずに安定的に維持できるとともに、ロウソク立てに立てた状態のロウソクに簡単に点火することができ、さらに仏具としての重量感と荘重感が得られるという効果を有し、墓石の前部に設置されて、線香などとともに燈明を供えるための燈明台等として有用である。
【図面の簡単な説明】
【００４５】
【図１】本発明の一実施形態による燈明台を備えた墓石を示す斜視図である。
【図２】図１に示す燈明台の斜視図である。
【図３】本発明の他の実施形態による燈明台を示す斜視図である。
【図４】本発明の他の実施形態による燈明台を示す斜視図である。
【図５】図４に示す燈明台の開閉扉の開放状態を示す斜視図である。
【図６】図４に示す燈明台の開閉扉の分解斜視図である。
【図７】図４に示す燈明台の開閉扉の開閉状態を示す説明図である。
【図８】本発明の他の実施形態による燈明台を示す斜視図である。
【図９】本発明のさらに他の実施の形態に係る石材製の墓石用灯明台を示す斜視図である。
【図１０】図９の中央断面図である。
【図１１】図１０のＡ−Ａ線断面図である。
【図１２】本発明のまた更に他の実施の形態に係る石材製の墓石用燈明台を示す斜視図である。
【符号の説明】
【００４６】
１１、１１Ａ、１１Ｂ、１１Ｃ、１１Ｄ、１１Ｅ  墓石用燈明台
１５  筐体
１５Ｄ  本体
１６、１６Ｄ  ロウソク立て設置台
１７  通気孔
１８  開口部
１９  ロウソク立て
２１  ロウソク
２３  開口窓
２４  開閉口
２５  枠体
２６  台座
２８  開閉扉
２８ａ  水平片
３１  軸部材
３６  開閉口
３８  開閉扉
３９  回転扉
【図１】
0005239047.tif 000002
【図２】
0005239047.tif 000003
【図３】
0005239047.tif 000004
【図４】
0005239047.tif 000005
【図５】
0005239047.tif 000006
【図６】
0005239047.tif 000007
【図７】
0005239047.tif 000008
【図８】
0005239047.tif 000009
【図９】
0005239047.tif 000010
【図１０】
0005239047.tif 000011
【図１１】
0005239047.tif 000012
【図１２】
0005239047.tif 000013